(57)【特許請求の範囲】
【請求項１】
ＴＶ放送波を受信し、受信データを生成するＴＶ放送受信手段と、
上記受信データに基づいてＴＶ画像を生成し、表示画面上に表示する画像生成手段と、
上記受信データに基づいてＴＶ音声を出力する音声出力手段と、
ＴＶ画像の表示画面を中断して他の画面に切り替えるためのユーザ操作に基づいて上記ＴＶ画像の画面表示を中断させ、他の画面表示に切り替えるＴＶ表示中断手段と、
上記ＴＶ表示中断手段による画面表示の切り替えに基づいて計時動作を開始し、所定時間が経過するとタイムアップするタイマーと、
上記タイマーの計時中におけるＴＶ画像に復帰させるためのユーザ操作に基づいて上記ＴＶ画像の画面表示を再開させ、計時を終了させるＴＶ表示再開手段と、
上記タイマーのタイムアップに基づいて、上記ＴＶ音声の出力を停止させるＴＶ音声自動停止手段とを備えたことを特徴とする携帯通信端末。
【請求項２】
上記ＴＶ放送受信手段は、上記ＴＶ音声自動停止手段によるＴＶ音声の出力停止後も上記ＴＶ放送波の受信処理を継続することを特徴とする請求項１に記載の携帯通信端末。
【請求項３】
上記受信データから属性情報を抽出する属性情報抽出手段を備え、
上記タイマーは、上記ＴＶ表示中断手段による画面表示の切り替え後における上記属性情報の変化に基づいて、上記計時動作を開始することを特徴とする請求項１に記載の携帯通信端末。
【請求項４】
スピーカから上記ＴＶ音声を出力させるスピーカモードと、着脱可能なイヤホンの接続時に上記スピーカからは出力させずに当該イヤホンから上記ＴＶ音声を出力させるイヤホンモードとのいずれかに上記イヤホンの接続状態に基づいて切り替える動作モード切り替え手段を備え、
動作モードがスピーカモードである場合には、上記ＴＶ音声自動停止手段が、上記タイマーのタイムアップに基づく上記ＴＶ音声の出力停止を行わないことを特徴とする請求項１に記載の携帯通信端末。
【請求項５】
上記受信データをメモリ内に格納するＴＶ録画手段を備え、
ＴＶ放送の録画中には、上記ＴＶ音声自動停止手段が、上記タイマーのタイムアップに基づく上記ＴＶ音声の出力停止を行わないことを特徴とする請求項１に記載の携帯通信端末。
【請求項６】
ユーザが指定したＴＶ視聴の開始時刻及び終了時刻を記憶する視聴予約記憶手段と、
現在時刻と上記開始時刻及び終了時刻を比較し、この比較結果に基づいて上記ＴＶ画像を画面表示させるＴＶ視聴予約手段とを備え、
上記ＴＶ視聴予約手段による視聴予約が行われたＴＶ放送の視聴中には、上記ＴＶ音声自動停止手段が、上記タイマーのタイムアップに基づく上記ＴＶ音声の出力停止を行わないことを特徴とする請求項１に記載の携帯通信端末。
【請求項７】
内蔵電池を充電するための電源装置との電気的接続を検出する接続検出手段を備え、
上記内蔵電池が充電中であれば、上記ＴＶ音声自動停止手段が、上記タイマーのタイムアップに基づく上記ＴＶ音声の出力停止を行わないことを特徴とする請求項１に記載の携帯通信端末。
【発明の詳細な説明】
【技術分野】
【０００１】
本発明は、携帯通信端末に係り、さらに詳しくは、ＴＶ放送波を受信してＴＶ画像を画面表示することができる携帯電話機などの通信端末の改良に関する。
【背景技術】
【０００２】
近年、ＴＶ（TeleVision：テレビジョン）放送波を受信してＴＶ画像を表示することができる携帯電話機が普及している。この様な携帯電話機では、ユーザが選局したチャンネルのＴＶ放送波を受信してＴＶ画像及びＴＶ音声が生成され、画面表示及び音声出力が行われる。一般に、携帯電話機の表示画面は、視認性を低下させることなく複数のアプリケーション画面を同時に表示することができる程度には大きくない。従って、この種の携帯電話機では、ＴＶ画像の表示中に、視認性を低下させることなく電子メールの閲覧画面などのアプリケーション画面を新たに表示させようとすると、画面表示を切り替える必要がある。
【０００３】
通常、表示画面全体を使用するアプリケーションがＴＶ画像の表示中に起動されると、ＴＶ放送波の受信処理は終了されるか、或いは、ＴＶ音声の出力は停止される。このため、上述した携帯電話機では、ＴＶ画像の表示中に他のアプリケーションを起動させると、画面表示が切り替えられ、ＴＶ音声の出力が停止されるので、放送内容がわからなくなってしまう。ＴＶ画像の画面表示から他の画面表示に切り替えた後も放送内容がＴＶ音声によって認識することができれば便利である。例えば、放送番組の途中、或いは、放送番組の途中や番組間で放送されるＴＶＣＭ中に他のアプリケーション画面に切り替えた際に、番組終了やＴＶＣＭがいつ終了したのかが認識できれば便利である。
【０００４】
そこで、画面表示をＴＶ画像の表示から他のアプリケーションの表示に切り替えた後もＴＶ放送波の受信処理及びＴＶ音声の出力を継続させ、ユーザにＴＶ音声によって放送内容を認識させるようにすることが考えられる。しかし、他のアプリケーションに切り替えた後もＴＶ放送波の受信処理やＴＶ音声の出力は継続されることから、元のＴＶ画像の画面表示に復帰させずに当該他のアプリケーションによる画面表示を続けると、電力消費量が増大してしまうという問題があった。また、上記他のアプリケーションによる画面表示中にＴＶ放送波の受信処理を停止させるためにはＴＶ画像の表示に画面表示を切り替えなければならないので、操作性が良くないという問題もあった。
【特許文献１】特開平６−５１９３３号公報
【特許文献２】特開平１０−６９３６６号公報
【特許文献３】特開２００５−１０９８２８号公報
【発明の開示】
【発明が解決しようとする課題】
【０００５】
上述した通り、従来の携帯通信端末では、ＴＶ画像の画面表示から他の画面表示に切り替えた後もＴＶ放送波の受信処理及びＴＶ音声の出力が継続されるので、元のＴＶ画像の画面表示に復帰させずに当該他の画面表示を続けると、電力消費量が増大するという問題があった。更に、ＴＶ画像の画面表示から切り替えられた他の画面表示中にＴＶ放送波の受信処理を停止させるためにはＴＶ画像の表示に画面表示を切り替えなければならず、操作性が良くないという問題があった。
【０００６】
本発明は、上記事情に鑑みてなされたものであり、電力消費量を増大させることなく、元のＴＶ画像の画面表示に復帰させずに他の画面表示を続けることができる携帯通信端末を提供することを目的としている。また、元のＴＶ画像の画面表示に復帰させずに他の画面表示を続けた際にＴＶ音声の出力を自動的に停止させることができる携帯通信端末を提供することを目的としている。
【０００７】
また、本発明の他の目的は、ＴＶ画像の画面表示から他の画面表示に切り替えた際に放送番組などが切り替わっているにもかかわらずＴＶ音声が出力され続けるのを防止することができる携帯通信端末を提供することにある。
【課題を解決するための手段】
【０００８】
第１の本発明による携帯通信端末は、ＴＶ放送波を受信し、受信データを生成するＴＶ放送受信手段と、上記受信データに基づいてＴＶ画像を生成し、表示画面上に表示する画像生成手段と、上記受信データに基づいてＴＶ音声を出力する音声出力手段と、ＴＶ画像の表示画面を中断して他の画面に切り替えるためのユーザ操作に基づいて上記ＴＶ画像の画面表示を中断させ、他の画面表示に切り替えるＴＶ表示中断手段と、上記ＴＶ表示中断手段による画面表示の切り替えに基づいて計時動作を開始し、所定時間が経過するとタイムアップするタイマーと、上記タイマーの計時中におけるＴＶ画像に復帰させるためのユーザ操作に基づいて上記ＴＶ画像の画面表示を再開させ、計時を終了させるＴＶ表示再開手段と、上記タイマーのタイムアップに基づいて、上記ＴＶ音声の出力を停止させるＴＶ音声自動停止手段とを備えて構成される。
【０００９】
この携帯通信端末では、ユーザ操作に基づいてＴＶ画像の画面表示が中断されて他の画面表示に切り替えられ、この画面表示の切り替えに基づいてタイマーが計時動作を開始する。その際、計時中のユーザ操作に基づいてＴＶ画像の画面表示が再開され、計時が終了される一方、タイマーのタイムアップに基づいてＴＶ音声の出力が停止される。この様な構成により、ＴＶ画像の画面表示を中断させて他の画面表示に切り替えても、ＴＶ音声を聴取し続けることができる。更に、ＴＶ画像の画面表示が再開されずにタイマーがタイムアップすれば、ＴＶ音声の出力が停止されるので、元のＴＶ画像の画面表示に復帰させずに他の画面表示を続けた際に、ＴＶ音声の出力を自動的に停止させることができる。従って、電力消費量を増大させることなく、元のＴＶ画像の画面表示に復帰させずに他の画面表示を続けることができる。
【００１０】
第２の本発明による携帯通信端末は、上記構成に加え、上記ＴＶ放送受信手段が、上記ＴＶ音声自動停止手段によるＴＶ音声の出力停止後も上記ＴＶ放送波の受信処理を継続するように構成される。この様な構成によれば、ＴＶ音声の出力停止後もＴＶ放送波の受信処理は継続されるので、ユーザが必要に応じてＴＶ画像の画面表示を再開させた際、速やかにＴＶ画像を画面表示させることができる。
【００１１】
第３の本発明による携帯通信端末は、上記構成に加え、上記受信データから属性情報を抽出する属性情報抽出手段を備え、上記タイマーは、上記ＴＶ表示中断手段による画面表示の切り替え後における上記属性情報の変化に基づいて、上記計時動作を開始するように構成される。この様な構成によれば、属性情報の変化に基づいてタイマーによる計時が開始されるので、ＴＶ画像の表示中断後における放送番組などの切り替わりに応じてタイマーを動作させることができる。従って、例えば、放送番組が終了していたり、他の放送番組に切り替わっていたり、或いは、ＴＶＣＭが終了しているにもかかわらずＴＶ音声が出力され続けるのを防止することができる。
【００１２】
第４の本発明による携帯通信端末は、上記構成に加え、スピーカから上記ＴＶ音声を出力させるスピーカモードと、着脱可能なイヤホンの接続時に上記スピーカからは出力させずに当該イヤホンから上記ＴＶ音声を出力させるイヤホンモードとのいずれかに上記イヤホンの接続状態に基づいて切り替える動作モード切り替え手段を備え、動作モードがスピーカモードである場合には、上記ＴＶ音声自動停止手段が、上記タイマーのタイムアップに基づく上記ＴＶ音声の出力停止を行わないように構成される。この様な構成によれば、動作モードに応じてＴＶ音声の出力停止を行わせることができる。例えば、スピーカモードでは、タイマーによるＴＶ音声の出力停止を行わず、イヤホンモードでのみＴＶ音声の出力停止を行わせることができる。一般に、イヤホンは耳に装着して使用されることから、スピーカに比べて音声の出力レベルは小さい。このため、イヤホンが耳から離れた位置にあると、イヤホンからの再生音は殆ど聞こえない。つまり、イヤホンモードでは、イヤホンが耳に装着されていなければＴＶ音声を出力させても聴取することができない場合が生じることとなる。従って、動作モードがイヤホンモードである場合にＴＶ音声を自動停止させることにより、電力消費量の増大を適切に抑制させることができる。
【００１３】
第５の本発明による携帯通信端末は、上記構成に加え、上記受信データをメモリ内に格納するＴＶ録画手段を備え、ＴＶ放送の録画中には、上記ＴＶ音声自動停止手段が、上記タイマーのタイムアップに基づく上記ＴＶ音声の出力停止を行わないように構成される。この様な構成によれば、録画状態に応じてＴＶ音声の出力停止を行わせることができる。例えば、ＴＶ画像の録画中にはＴＶ音声の出力停止を行わず、録画中でない場合にのみＴＶ音声の出力停止を行わせることができる。
【００１４】
第６の本発明による携帯通信端末は、上記構成に加え、ユーザが指定したＴＶ視聴の開始時刻及び終了時刻を記憶する視聴予約記憶手段と、現在時刻と上記開始時刻及び終了時刻を比較し、この比較結果に基づいて上記ＴＶ画像を画面表示させるＴＶ視聴予約手段とを備え、上記ＴＶ視聴予約手段による視聴予約が行われたＴＶ放送の視聴中には、上記ＴＶ音声自動停止手段が、上記タイマーのタイムアップに基づく上記ＴＶ音声の出力停止を行わないことができる。
【００１５】
第７の本発明による携帯通信端末は、上記構成に加え、内蔵電池を充電するための電源装置との電気的接続を検出する接続検出手段を備え、上記内蔵電池が充電中であれば、上記ＴＶ音声自動停止手段が、上記タイマーのタイムアップに基づく上記ＴＶ音声の出力停止を行わないように構成される。この様な構成によれば、電源装置との接続状態に応じてＴＶ音声の出力停止を行わせることができる。例えば、電源装置と接続中にはＴＶ音声の出力停止を行わず、電源装置と接続中でない場合にのみＴＶ音声の出力停止を行わせることができる。
【発明の効果】
【００１６】
本発明による携帯通信端末によれば、ＴＶ画像の画面表示が再開されずにタイマーがタイムアップすれば、ＴＶ音声の出力が停止されるので、元のＴＶ画像の画面表示に復帰させずに他の画面表示を続けた際に、ＴＶ音声の出力を自動的に停止させることができる。従って、電力消費量を増大させることなく、元のＴＶ画像の画面表示に復帰させずに他の画面表示を続けることができる。また、属性情報の変化に基づいてタイマーによる計時が開始されるので、ＴＶ画像の表示中断後における放送番組などの切り替わりに応じてタイマーを動作させることができる。従って、ＴＶ画像の画面表示から他の画面表示に切り替えた際に放送番組などが切り替わっているにもかかわらずＴＶ音声が出力され続けるのを防止することができる。
【発明を実施するための最良の形態】
【００１７】
実施の形態１．
図１は、本発明の実施の形態１による携帯通信端末の概略構成の一例を示した斜視図であり、携帯通信端末の一例として折り畳み可能な携帯電話機１が示されている。この携帯電話機１は、表示画面２ａを有する表示筐体２と、操作キー４ａを有する操作筐体４と、表示筐体２及び操作筐体４を連結するヒンジ部３からなり、表示画面２ａ及び操作筐体４の操作面を対向させて両筐体を折り畳むことができる。なお、図１には、両筐体を展開させた状態での携帯電話機１が示されている。
【００１８】
表示筐体２には、折り畳んだ状態で操作筐体４の操作面に対向する面に表示画面２ａ及び受話用レシーバ８が配置されている。表示画面２ａは、画像の出力部であり、矩形状に形成されている。ここでは、表示画面２ａの長手方向が表示筐体２の長手方向と一致するように配置されている。受話用レシーバ８は、通話時における音声の出力部であり、表示筐体２におけるヒンジ部３とは反対側の端部に配置されている。
【００１９】
操作筐体４には、折り畳んだ状態で表示筐体２の表示画面２ａに対向する面に複数の操作キー４ａ及び送話用マイクロホン７が配置されている。操作キー４ａは、テンキー、オンフックキー、オフフックキーなどからなる。送話用マイクロホン７は、通話時における音声の入力部であり、操作筐体４におけるヒンジ部３とは反対側の端部に配置されている。
【００２０】
ヒンジ部３は、操作筐体４に対して回動可能に設けられた連結部３ａと、表示筐体２を保持する保持部３ｂにより構成される。連結部３ａは、保持部３ｂの一端部において互いに一定間隔を隔てて突出するように形成された２つの円筒体からなる。操作筐体４の内面における長手方向の一端部には、長手方向に垂直な方向に延びるように円筒体６が形成されており、この円筒体６が連結部３ａの各円筒体間に同軸に配置されている。ヒンジ部３を操作筐体４に対して回動させることにより、端末を折り畳むことができる。
【００２１】
保持部３ｂは、表示筐体２を表示画面２ａに平行な面内で回転可能に保持し、表示筐体２は、操作筐体４に対する傾斜角度を保った状態で回転できるようになっている。つまり、ヒンジ部３は、表示筐体２及び操作筐体４を連結し、表示画面２ａが縦長状態及び横長状態を遷移可能となるように、操作筐体４に対して表示筐体２を回転可能に保持する手段となっている。
【００２２】
この様な折り畳み式の携帯電話機１は、コンパクトに折り畳んだ状態で携帯することができ、筐体を展開させれば、表示画面２ａの表示を見ながら、操作キー４ａを操作することができる。また、この携帯電話機１は、図１に示すように表示画面２ａを縦長状態として表示筐体２の内面に耳を当てることにより、送話用マイクロホン７に口を近づけるとともに、受話用レシーバ８に耳を近づけて、良好に通話を行うことができるようになっている。
【００２３】
図２は、図１の携帯電話機１における表示筐体２を操作筐体４に対して回転させた状態を示した斜視図であり、正面から見て図１の状態から時計回りに約４５°回転させた状態が示されている。図３は、図１の携帯電話機１の表示筐体２を回転させた状態を示した斜視図であり、正面から見て図１の状態から時計回りに９０°回転させた状態が示されている。
【００２４】
ユーザは、操作筐体４を把持した状態で、表示筐体２を回転させることにより、図１に示した縦長状態と、図３に示した横長状態とを切り替えることができる。つまり、図１に示す縦長状態から表示筐体２を回転させることにより、図２の状態を経て、図３に示すような表示画面２ａの横長状態に遷移させることができる。
【００２５】
ＴＶ放送を視聴する際には、表示画面２ａを横長状態に切り替えることにより、ＴＶ画像のアスペクト比に合致させてＴＶ画像を表示することができる。すなわち、表示画面２ａは、長辺と短辺の比が１６：９となっており、一般的なＴＶ放送に用いられるＴＶ画像のアスペクト比と一致している。
【００２６】
図１の状態から表示筐体２を時計回りに回転させる場合、図２に示した状態となるまでは、ヒンジ部３の保持部３ｂ内に備えられた付勢手段により、表示筐体２に対して反時計回りに付勢力が作用するようになっている。従って、図１の状態では、表示筐体２に対して反時計回りに作用する付勢力によって、外力が作用しない限り表示筐体２が図１の状態のまま維持されるようになっている。
【００２７】
一方、図２の状態を超えて表示筐体２をさらに時計回りに回転させると、表示筐体２に作用する付勢力が時計回りに切り替わり、図３に示した状態で表示筐体２が係止される。これにより、外力が作用しない限り表示筐体２が図３の状態のまま維持されるようになっている。
【００２８】
本実施の形態では、表示筐体２は一定位置に固定された回転軸を中心に回転するのではなく、表示筐体２の回転に伴って移動する回転軸を中心に回転するようになっている。これにより、図１に示すように長手方向の一端部が操作筐体４に近接した縦長状態の表示筐体２を９０°回転させても、図３に示すように表示筐体２の長手方向に垂直な方向の一端部が操作筐体４に近接し、コンパクトに横長状態とされた表示画面２ａにＴＶ画像を表示させてＴＶ放送を視聴することができるようになっている。
【００２９】
また、操作筐体４を把持した状態のまま表示筐体２を縦長状態から横長状態に回転させることにより、携帯電話機１を持ち替えることなくＴＶ放送を視聴することができる。このとき、表示筐体２に作用する付勢力により、表示筐体２を縦長状態と横長状態との間でスムーズに切り替えることができるようになっている。
【００３０】
図４は、図１の携帯電話機１内における機能構成の一例を示したブロック図である。この携帯電話機１は、上述した受話用レシーバ８及び送話用マイクロホン７の他に、アンテナ１１ａ，１２ａ、セルラー通信部１１、ＴＶ放送受信部１２、操作入力部１３、音声出力部１４、画像生成部１６、ＬＣＤ１７及びＴＶ視聴制御部１８を備えており、それらの動作がプロセッサからなる主制御部１５により制御される。
【００３１】
音声出力部１４は、スピーカ１４ａから音声を出力させる出力装置であり、受話用レシーバ８から出力される場合よりも音声を増幅して出力することができる。これにより、表示筐体２から耳を離した状態であっても、音声を聞くことができる。このスピーカ１４ａは、着信時に着信音を出力し、通話時に受話音を出力し、或いは、ＴＶ視聴時にＴＶ音声を出力するための内蔵スピーカとして用いられる。
【００３２】
ここで、受話用レシーバ８は、表示筐体２の内面にユーザが耳を当てた状態で使用されるのに対して、スピーカ１４ａは、表示筐体２の内面からユーザが耳を離した状態で使用される。したがって、表示画面２ａにおけるＴＶ画像などの表示は、スピーカ１４ａを使用しているときには見ることができるが、受話用レシーバ８を使用しているときには見ることができない。
【００３３】
スピーカ１４ａを用いて相手方電話機との間で通話を行う場合には、相手方電話機からの音声が増幅されてスピーカ１４ａから出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話と、ハンズフリーによる通話との切り替えは、操作キー４ａの操作により行うことができる。
【００３４】
この音声出力部１４では、主制御部１５を介してＴＶ放送受信部１２から入力される受信データに基づいてＴＶ音声が生成され、再生音がスピーカ１４ａから出力される。
【００３５】
セルラー通信部１１は、通信用のアンテナ１１ａを介して基地局との間で電波の送受信を行う移動体通信処理手段である。相手方電話機との間で通話状態が確立された状態では、ユーザの通話音に基づく音声信号がセルラー通信部１１から送信され、相手方電話機からの通話音に基づく音声信号がセルラー通信部１１で受信されることにより、通話音がリアルタイムで送受信される。
【００３６】
ＴＶ放送受信部１２は、ＴＶ放送受信用のアンテナ１２ａを介して、ＴＶ局から発信されているＴＶ放送波を受信するチューナーである。このＴＶ放送受信部１２により、ＴＶ画像、ＴＶ音声及び属性情報からなる受信データが生成される。ＴＶ局から発信されるＴＶ放送波には、アナログ放送に対応したアナログ放送波と、デジタル放送に対応したデジタル放送波とが含まれている。このＴＶ放送受信部１２が受信するデジタル放送波は、一般のデジタルハイビジョン放送波の一定帯域に割り当てられた携帯電話機向けの１セグメント放送波であり、ＴＶ画像及びＴＶ音声に加えて、そのＴＶ画像に対応する字幕や関連する記事などの文字情報、副音声の有無などの音声情報、受信電波の周波数帯に応じたチャンネル情報などが属性情報として含まれている。
【００３７】
ＴＶ放送受信部１２によるＴＶ放送波の受信処理では、ユーザが選局したチャンネルに対応する特定の周波数帯域に含まれるベースバンド信号が抽出され、受信データとして出力される。
【００３８】
ＴＶ放送受信部１２で受信したＴＶ放送波に基づいて、表示画面２ａ上にＴＶ画像を表示するとともに、そのＴＶ画像に対応するＴＶ音声をスピーカ１４ａから出力することにより、ＴＶ放送を視聴することができる。また、ＴＶ放送波に含まれる文字情報を抽出して表示画面２ａに表示させることにより、ＴＶ画像とともに字幕などの文字情報を表示させることができる。また、ＴＶ放送波に基づくＴＶ画像やＴＶ音声をメモリ（図示せず）に記憶させれば、ＴＶ放送を録画することができる。
【００３９】
操作入力部１３は、各操作キー４ａの操作に基づいて入力信号を生成する動作を行っている。ＬＣＤ（Liquid Crystal Display：液晶ディスプレイ）１７は、表示画面２ａを有する画像の出力装置である。画像生成部１６は、画像データを生成し、ＬＣＤ１７に画面表示させる動作を行っている。具体的は、待ち受け画面、着信画面、電子メールの閲覧画面、ＴＶ画像などが画像データとして生成される。
【００４０】
待ち受け画面は、待ち受け時に表示させる画面であり、着信画面は、電話や電子メールの着信時に表示させる画面である。電子メールの閲覧画面は、受信メールのヘッダ情報やメール本文を表示し、或いは、電子メールを作成編集するための画面である。この画像生成部１６では、主制御部１５を介してＴＶ放送受信部１２から入力される受信データに基づいてＴＶ画像が生成され、再生画像が表示画面２ａ上に表示される。
【００４１】
ＴＶ視聴制御部１８は、主制御部１５を介して操作入力部１３から入力される入力信号に基づいてＴＶ放送受信部１２、音声出力部１４及び画像生成部１６を制御し、ＴＶ画像を画面表示させるとともに、ＴＶ音声を出力させる動作を行っている。このＴＶ視聴制御部１８では、ＴＶ画像の画面表示を中断させて他の画面表示に切り替えたり、元のＴＶ画像の画面表示に復帰させる制御が行われる。
【００４２】
図５は、図４の携帯電話機１の要部における構成例を示したブロック図であり、ＴＶ視聴制御部１８が示されている。このＴＶ視聴制御部１８は、ＴＶ表示中断処理部２１、タイマー２２、ＴＶ表示再開処理部２３及びＴＶ音声自動停止部２４により構成される。ＴＶ表示中断処理部２１は、操作入力部１３からの入力信号に基づいてＴＶ画像の画面表示を中断させ、他の画面表示に切り替える処理を行っている。
【００４３】
具体的には、ＴＶ画像の表示中におけるユーザ操作に基づいて、当該ＴＶ画像の画面表示を中断して他の画面表示に切り替えるための制御信号として画像生成中断信号が生成され、画像生成部１６へ出力される。例えば、電子メールの閲覧画面、スケジュール帳への入力画面、電卓機能を使って計算を行わせるための入力画面に切り替えるためのキー操作に基づいて、ＴＶ画像の表示が中断される。つまり、ＴＶ画像の表示領域全体を使用して画面表示を行うアプリケーションがＴＶ画像の表示中に起動されると、ＴＶ画像の画面表示は中断される。
【００４４】
ここでは、ＴＶ表示中断処理部２１による画面表示の切り替え後も、ＴＶ放送受信部１２による受信処理及び音声出力部１４によるＴＶ音声出力は継続され、ＴＶ画像の表示のみ中断されるものとする。
【００４５】
タイマー２２は、ＴＶ表示中断処理部２１による画面表示の切り替えに基づいて、計時動作を開始する計時手段である。このタイマー２２は、計時を開始してから所定時間が経過するとタイムアップし、タイムアップを示す制御信号を出力する動作を行っている。
【００４６】
ＴＶ表示再開処理部２３は、タイマー２２の計時中における操作入力部１３からの入力信号に基づいてＴＶ画像の画面表示を再開させ、計時を終了させる処理を行っている。すなわち、ＴＶ画像が中断してからタイマー２２がタイムアップするまでの間に、元のＴＶ画像に復帰させるためのキー操作が行われると、このキー操作に基づいてＴＶ画像の画面表示を再開させるための制御信号として画像生成再開信号が生成され、画像生成部１６へ出力される。画像生成部１６では、この画像生成再開信号に基づいて画面表示がＴＶ画像の画面表示に切り替えられ、再生画像が表示される。また、上記キー操作に基づいて計時動作を終了させるための制御信号が生成され、タイマー２２へ出力される。
【００４７】
ＴＶ音声自動停止部２４は、タイマー２２のタイムアップに基づいて、ＴＶ音声の出力を停止させる動作を行っている。すなわち、タイマー２２からの制御信号に基づいてＴＶ音声の出力を停止させるための制御信号として音声出力停止信号が生成され、音声出力部１４へ出力される。
【００４８】
ＴＶ音声の出力を継続させることにより、ＴＶ画像の画面表示を中断させて他の画面表示に切り替えても、ＴＶ音声を聴取し続けることができるので、ＴＶ画像の表示中断後も放送内容をＴＶ音声によってユーザに認識させることができる。例えば、放送番組の切り替わりやＴＶＣＭの終了を認識させることができる。また、タイマー２２のタイムアップに基づいてＴＶ音声の出力を停止させることにより、元のＴＶ画像に復帰させずに他の画面表示を続けた際に、ＴＶ音声の出力を自動的に停止させることができるので、電力消費量の増大を抑制させることができる。
【００４９】
ここでは、ＴＶ音声自動停止部２４によるＴＶ音声の出力停止後もＴＶ放送受信部１２による受信処理は継続されるものとする。つまり、ＴＶ画像の画面表示の中断中において、タイマー２２がタイムアップするまでの間は、ＴＶ放送波の受信処理及びＴＶ音声の出力が行われ、タイマー２２がタイムアップすると、ＴＶ放送波の受信処理のみが継続される、いわゆるスタンバイモードに移行する。この様に、ＴＶ画像の表示中断後もＴＶ放送波の受信処理を継続させることにより、元のＴＶ画像に復帰させるためのキー操作が行われれば、速やかにＴＶ画像の画面表示を再開させることができる。
【００５０】
ここではまた、所定の操作キー４ａを操作することにより、ＴＶがオンオフされるものとする。ＴＶがオンされれば、ＴＶ放送波の受信処理が開始され、ＴＶ画像が画面表示されるとともに、ＴＶ音声が出力される。一方、ＴＶがオフされれば、ＴＶ放送波の受信処理は停止され、ＴＶは終了する。また、ＴＶ画像の表示中断中に上記操作キー４ａを操作することにより、電子メールの閲覧画面などの画面表示と、ＴＶ画像の画面表示とが切り替えられるものとする。
【００５１】
ここではまた、表示画面２ａの縦長状態でＴＶ視聴している際に、電話着信があると、ＴＶ画像の画面表示及びＴＶ音声の出力を中断し、スタンバイモードに移行させるものとする。一方、横長状態でＴＶ視聴している際に電話着信があった場合には、ＴＶ音声の出力のみ停止させ、ＴＶ画像の画面表示は継続させるものとする。
【００５２】
なお、ＴＶ音声自動停止部２４によるＴＶ音声出力の停止時にＴＶ放送波の受信処理も停止させ、ＴＶを終了させる構成であっても良い。
【００５３】
図６は、図４の携帯電話機１における動作の一例を示した遷移図であり、ＴＶ画像の表示中断時における表示画面２ａが示されている。この例では、表示画面２ａが横長状態にある場合にＴＶ画像を画面表示させるケースが示されている。この横長状態では、ユーザから見て、表示領域が上下方向に比べて左右方向に拡がっている。この様な横長状態においては、表示画面２ａの上端部にピクトグラム（絵文字）の表示領域３１が設けられ、下端部にアイコンの表示領域３３が設けられる。表示領域３１及び表示領域３３間は、ＴＶ画像の表示領域３２となっている。
【００５４】
表示領域３１内には、電波の受信強度、電子メールの着信、電池の残量を示す各ピクトグラムが配置されている。表示領域３３内には、メニューアイコン３３ａ及び終了アイコン３３ｂが配置されている。メニューアイコン３３ａは、所定の操作キー４ａ（メニューキー）に対応付けられたアイコンであり、終了アイコン３３ｂは、他の操作キー４ａ（終了キー）に対応付けられたアイコンである。メニューキーは、メニュー画面を表示させるための操作キーである。終了キーは、起動中のアプリケーションを終了させるための操作キーである。
【００５５】
ＴＶ画像の表示中は、ＴＶ音声の出力がオンされ、ＴＶ画像に対応するＴＶ音声がスピーカ１４ａから再生される。この状態でＴＶ画像の表示を中断させて他の画面表示（ここでは、受信メールの閲覧画面の表示）に切り替えるためのユーザ操作が行われると、ＴＶ音声の出力はオン状態のまま、ＴＶ画像の表示が中断され、受信メールの閲覧画面が表示される。ＴＶ画像の表示中断後、所定時間が経過してタイマー２２がタイムアップすると、ＴＶ音声の出力がオフされ、スタンバイモードに移行する。
【００５６】
図７のステップＳ１０１〜Ｓ１０８は、図４の携帯電話機１における動作の一例を示したフローチャートである。まず、ＴＶ表示中断処理部２１は、ＴＶ視聴中にＴＶ画像の中断操作が行われると、この中断操作に基づいてＴＶ画像の画面表示を中断させ、画面表示を切り替える（ステップＳ１０１，Ｓ１０２）。画面表示がＴＶ画像から他の画面に切り替えられると、タイマー２２による計時動作が開始される。
【００５７】
次に、ＴＶ表示再開処理部２３は、タイマー２２がタイムアップするまでにＴＶ画像の再開操作が行われれば、この再開操作に基づいてＴＶ画像の画面表示を再開させ（ステップＳ１０３〜Ｓ１０５）、タイマー２２の計時動作を終了させる（ステップＳ１０６）。一方、ＴＶ音声自動停止部２４は、タイマー２２がタイムアップすれば、このタイムアップに基づいてＴＶ音声の出力を停止させる（ステップＳ１０７，Ｓ１０８）。
【００５８】
本実施の形態によれば、ＴＶ画像の画面表示を中断させて他の画面表示に切り替えても、ＴＶ音声を聴取し続けることができる。その上、ＴＶ画像の画面表示が再開されずにタイマー２２がタイムアップすれば、ＴＶ音声の出力が停止されるので、元のＴＶ画像の画面表示に復帰させずに他の画面表示を続けた際に、ＴＶ音声の出力を自動的に停止させることができる。従って、電力消費量を増大させることなく、元のＴＶ画像の画面表示に復帰させずに他の画面表示を続けることができる。また、ＴＶ音声の出力停止後もＴＶ放送波の受信処理は継続されるので、ユーザが必要に応じてＴＶ画像の画面表示を再開させた際、速やかにＴＶ画像を画面表示させることができる。
【００５９】
実施の形態２．
実施の形態１では、ＴＶ表示中断処理部２１により画面表示が切り替えられると計時が開始される場合の例について説明した。これに対し、本実施の形態では、受信データから抽出した属性情報の変化に基づいて計時を開始する場合について説明する。
【００６０】
図８は、本発明の実施の形態２による携帯電話機の要部における構成例を示したブロック図であり、属性情報抽出部１０２を備えたＴＶ視聴制御部１０１が示されている。属性情報抽出部１０２は、ＴＶ放送受信部１２からの受信データから属性情報を抽出する動作を行っている。ＴＶ放送波の受信データに含まれる属性情報は、ＴＶ画像に対応付けられた字幕などの文字情報、副音声の有無やステレオ放送の有無などの音声情報、受信電波の周波数帯に応じたチャンネル情報、放送番組に対応付けられた番組情報からなり、ＴＶ視聴に利用される。
【００６１】
本実施の形態では、タイマー２２が、ＴＶ表示中断処理部２１による画面表示の切り替え後における上記属性情報の変化に基づいて計時を開始する。つまり、ＴＶ画像の表示中断後、属性情報に変化が生じれば、タイマー２２による計時動作が開始される。通常、放送番組が終了したり、他の放送番組に切り替わったり、或いは、ＴＶＣＭが終了すると、属性情報は変化する。この様な属性情報の変化を検出し、属性情報が変化した時点で計時を開始させることにより、ＴＶ音声の出力を適切に停止させることができる。例えば、ＴＶ画像の中断後、放送番組が切り替わっているにもかかわらず、ＴＶ音声が出力され続けるのを防止することができる。
【００６２】
実施の形態３．
実施の形態１では、スピーカ１４ａからＴＶ音声が出力される場合の例について説明した。これに対し、本実施の形態では、動作モードに応じてＴＶ音声を出力する場合について説明する。
【００６３】
図９は、本発明の実施の形態３による携帯電話機１１１の構成例を示したブロック図である。この携帯電話機１１１は、図４の携帯電話機１と比較すれば、イヤホン接続部１１２及び動作モード切り替え部１１３を備えている点で異なる。イヤホン接続部１１２は、イヤホンが着脱可能に接続されるコネクタを有する音声信号の出力部である。イヤホンは、スピーカ１４ａよりも低い出力レベルの音声出力装置である。イヤホン接続部１１２では、主制御部１５を介してＴＶ放送受信部１２から入力される受信データに基づいてＴＶ音声が生成され、再生音がイヤホンから出力される。
【００６４】
動作モード切り替え部１１３は、スピーカ１４ａから音声を出力させるスピーカモードと、スピーカ１４ａからは出力させずにイヤホンから音声を出力させるイヤホンモードとのいずれかに動作モードを切り替える動作を行っている。ここでは、イヤホンとの接続状態に基づいて動作モードが自動的に切り替えられるものとする。具体的には、イヤホンがイヤホン接続部１１２に接続されていなければ、スピーカモードに切り替えられ、接続されていれば、イヤホンモードに切り替えられる。従って、イヤホンの接続時には、着信音や受話音、ＴＶ音声はスピーカ１４ａからは出力されず、当該イヤホンから出力される。
【００６５】
本実施の形態では、ＴＶ音声自動停止部２４が、動作モードに基づいてＴＶ音声の出力を停止させる。例えば、動作モードがスピーカモードである場合には、ＴＶ音声の自動停止を行わず、動作モードがイヤホンモードであると、ＴＶ音声の自動停止が行われる。
【００６６】
この様な構成によれば、動作モードに応じてＴＶ音声の出力停止を行わせることができるので、動作モードがイヤホンモードである場合にＴＶ音声を自動停止させることにより、電力消費量の増大を適切に抑制させることができる。
【００６７】
なお、本実施の形態では、動作モードに応じてＴＶ音声が出力される場合の例について説明したが、本発明はこれに限られるものではない。例えば、スピーカ１４ａからの音声出力を停止させるマナーモードでは、ＴＶ画像の表示中断後におけるタイマー２２のタイムアップに基づいてＴＶ放送受信部１２による受信処理を停止させても良い。
【００６８】
実施の形態４．
実施の形態１では、ＴＶ音声自動停止部２４がタイマー２２のタイムアップに基づいてＴＶ音声の出力を停止させる場合の例について説明した。これに対し、本実施の形態では、ＴＶ放送の録画状態や視聴予約に応じてＴＶ音声の出力を停止させる場合について説明する。
【００６９】
図１０は、本発明の実施の形態４による携帯電話機の要部における構成例を示したブロック図であり、ＴＶ視聴制御部１２１が示されている。このＴＶ視聴制御部１２１は、図５のＴＶ視聴制御部１８と比較すれば、ＴＶ録画処理部１２２、録画データ記憶部１２３、ＴＶ視聴予約処理部１２４及び視聴予約記憶部１２５を備えている点で異なる。
【００７０】
ＴＶ録画処理部１２２は、ＴＶ放送受信部１２からの受信データを録画データ記憶部１２３内に格納する動作を行っている。このＴＶ画像の録画処理は、ＴＶ視聴中におけるユーザ操作に基づいて開始され、或いは、ユーザが予め指定した時刻情報に基づいて開始され、ＴＶ画像と共にＴＶ音声や属性情報も録画データとして格納される。録画データ記憶部１２３は、不揮発性のメモリであり、録画データ記憶部１２３内に格納されている録画データは、ユーザ操作に基づいて画像生成部１６及び音声出力部１４へ出力され、再生される。
【００７１】
ＴＶ視聴予約処理部１２４は、ユーザが指定したＴＶ視聴の開始時刻及び終了時刻を視聴予約情報として視聴予約記憶部１２５内に格納する動作を行っている。また、ＴＶ視聴予約処理部１２４は、現在時刻と上記開始時刻及び終了時刻を比較し、この比較結果に基づいてＴＶ画像を画面表示させる動作を行っている。具体的には、視聴予約情報に基づいてＴＶ視聴制御信号がＴＶ放送受信部１２、画像生成部１６及び音声出力部１４へ出力され、ＴＶ画像が表示されるとともに、ＴＶ音声が出力される。
【００７２】
本実施の形態では、ＴＶ音声自動停止部２４が、ＴＶ録画処理部１２２による録画状態やＴＶ視聴予約処理部１２４による視聴予約に基づいてＴＶ音声の出力を停止させる。例えば、ＴＶ放送の録画中や視聴予約したＴＶ放送の視聴中には、ＴＶ音声の自動停止を行わず、ＴＶ放送の録画中でない場合や視聴予約したＴＶ放送の視聴中でない場合に、ＴＶ音声の自動停止が行われる。この様な構成によれば、ＴＶ音声の自動停止を適切に行わせることができる。
【００７３】
なお、表示筐体２及び操作筐体４の連結状態、ＴＶ放送波の受信状態、録画可能なメモリ残量に応じてＴＶ画像の予約録画を制御しても良い。具体的には、ユーザが予め指定した時刻情報に基づいてＴＶ画像の録画が自動的に開始され、しかも、両筐体が折り畳まれた状態にある場合に、ＴＶ放送波の受信状態が悪化すると、録画処理を停止させるとともにタイマー２２に計時を開始させることが考えられる。その際、タイマー２２がタイムアップするまでに受信状態が回復すれば、録画処理を再開させ、一方、受信状態が回復することなくタイマー２２がタイムアップすれば、ＴＶ放送波の受信処理を停止させ、予約録画を終了させる。
【００７４】
或いは、ユーザが予め指定した時刻情報に基づいてＴＶ画像の録画が自動的に開始され、しかも、両筐体が折り畳まれた状態にある場合に、録画データ記憶部１２３における録画可能なメモリ残量が少なくなると、タイマー２２に計時を開始させることが考えられる。その際、タイマー２２がタイムアップするまでに録画処理が終了しなければ、タイマー２２がタイムアップした時点でＴＶ放送波の受信処理を停止させ、予約録画を終了させる。
【００７５】
実施の形態５．
実施の形態１では、ＴＶ音声自動停止部２４がタイマー２２のタイムアップに基づいてＴＶ音声の出力を停止させる場合の例について説明した。これに対し、本実施の形態では、充電器との接続状態に応じてＴＶ音声の出力を停止させる場合について説明する。
【００７６】
図１１は、本発明の実施の形態５による携帯電話機１３１の構成例を示したブロック図である。この携帯電話機１３１は、図４の携帯電話機１と比較すれば、接続検出部１３２を備えている点で異なる。この接続検出部１３２は、充電器との電気的接続を検出するセンサーであり、例えば、電極端子を介して流入される電流の電圧レベルに基づいて接続が検出される。充電器は、携帯電話機１３１の内蔵電池を充電するための電源装置である。
【００７７】
本実施の形態では、ＴＶ音声自動停止部２４が、接続検出部１３２による検出結果に基づいてＴＶ音声の出力を停止させる。具体的には、内蔵電池が充電中であれば、ＴＶ音声の自動停止は行わず、内蔵電池が充電中でない場合に、ＴＶ音声の自動停止が行われる。この様な構成によれば、ＴＶ音声の自動停止を適切に行わせることができる。
【図面の簡単な説明】
【００７８】
【図１】本発明の実施の形態１による携帯通信端末の概略構成の一例を示した斜視図であり、携帯通信端末の一例として折り畳み可能な携帯電話機１が示されている。
【図２】図１の携帯電話機１における表示筐体２を操作筐体４に対して回転させた状態を示した斜視図であり、時計回りに約４５°回転させた状態が示されている。
【図３】図１の携帯電話機１の表示筐体２を回転させた状態を示した斜視図であり、時計回りに９０°回転させた状態が示されている。
【図４】図１の携帯電話機１内における機能構成の一例を示したブロック図である。
【図５】図４の携帯電話機１の要部における構成例を示したブロック図であり、ＴＶ視聴制御部１８が示されている。
【図６】図４の携帯電話機１における動作の一例を示した遷移図であり、ＴＶ画像の表示中断時における表示画面２ａが示されている。
【図７】図４の携帯電話機１における動作の一例を示したフローチャートである。
【図８】本発明の実施の形態２による携帯電話機の要部における構成例を示したブロック図であり、属性情報抽出部１０２を備えたＴＶ視聴制御部１０１が示されている。
【図９】本発明の実施の形態３による携帯電話機１１１の構成例を示したブロック図である。
【図１０】本発明の実施の形態４による携帯電話機の要部における構成例を示したブロック図であり、ＴＶ視聴制御部１２１が示されている。
【図１１】本発明の実施の形態５による携帯電話機１３１の構成例を示したブロック図である。
【符号の説明】
【００７９】
１  携帯電話機
２  表示筐体
２ａ  表示画面
３  ヒンジ部
３ａ  連結部
３ｂ  保持部
４ａ  操作キー
４  操作筐体
７  送話用マイクロホン
８  受話用レシーバ
１１  セルラー通信部
１２  ＴＶ放送受信部
１３  操作入力部
１４  音声出力部
１４ａ  スピーカ
１５  主制御部
１６  表示制御部
１７  ＬＣＤ
１８  ＴＶ視聴制御部
２１  ＴＶ表示中断処理部
２２  タイマー
２３  ＴＶ表示再開処理部
２４  ＴＶ音声自動停止部
１０１  ＴＶ視聴制御部
１０２  属性情報抽出部
１１１  携帯電話機
１１２  イヤホン接続部
１１３  動作モード切り替え部
１２１  ＴＶ視聴制御部
１２２  ＴＶ録画処理部
１２３  録画データ記憶部
１２４  ＴＶ視聴予約処理部
１２５  視聴予約記憶部
１３１  携帯電話機
１３２  接続検出部
【図１】
0004749202.tif 000002
【図２】
0004749202.tif 000003
【図３】
0004749202.tif 000004
【図４】
0004749202.tif 000005
【図５】
0004749202.tif 000006
【図６】
0004749202.tif 000007
【図７】
0004749202.tif 000008
【図８】
0004749202.tif 000009
【図９】
0004749202.tif 000010
【図１０】
0004749202.tif 000011
【図１１】
0004749202.tif 000012